(57)【特許請求の範囲】
【請求項１】
宛先名及び電話番号の画面表示を行う表示装置と、
宛先電話番号を検索操作するための入力操作装置と、
アドレス番号毎に、宛先名と宛先電話番号とを対応させた宛先情報記憶テーブルと、前記アドレス番号を、該アドレス番号に対応する宛先名の表記分類毎に分類している表記情報テーブルと、地域名と市外局番を記憶した地域名別市外局番テーブルとを格納した記憶手段と、
前記入力操作装置に入力された情報に基づき前記宛先番号を検索する制御装置とを備えた電子電話帳装置であって、
前記制御装置は、
前記入力操作装置で特定の表記分類が選択された場合に、前記表記情報テーブルおよび宛先情報記憶テーブルを参照して、前記表記分類に対応する宛先情報を表示する宛先情報表示処理と、
前記宛先情報表示処理に対して宛先名が指定された場合に、該宛先名に対して発呼する発呼処理と、
前記宛先情報表示処理に対して地域による絞り込み処理が指定された場合に、前記地域名別市外局番テーブルを参照して地域情報を表示する地域情報表示処理と、
前記宛先情報表示処理の結果として表示された前記宛先情報のうち、前記地域情報表示処理に対して指定された特定の地域に該当する宛先情報を表示する宛先情報絞込み処理と、
前記宛先情報絞込み処理に対して宛先名が指定された場合、該宛先名に対して発呼する発呼処理とを行うことを特徴とする電子電話帳装置。
【請求項２】
前記請求項１記載の電子電話帳装置がファクシミリ装置に適用されることを特徴とする電子電話帳装置。
【請求項３】
前記表記分類は、少なくとも五十音分類又はアルファベット分類であることを特徴とする請求項１に記載の電子電話帳装置。
【発明の詳細な説明】
【０００１】
【発明の属する技術分野】
本発明は、ファクシミリ装置などに利用し、液晶ディスプレイ（ＬＣＤ）又はブラウン管（ＣＲＴ）のタッチパネルを使用して宛先名及び電話番号を検索するための電子電話帳装置に関する。
【０００２】
【従来の技術】
従来、ファクシミリ装置などに利用して、ＬＣＤ又はＣＲＴのタッチパネルを操作し、予め登録した宛先名及び電話番号を読み出して、その電話発信を行うための電子電話帳装置が用いられている。この電子電話帳装置では、五十音分類などによる登録が行われている。
【０００３】
このような装置として実開平４−９１４７０号公報「ファクシミリ装置」が知られている。この公報例では、宛先情報を宛先名及び電話番号ごとに管理し、発呼時には、宛て先の電話番号のエリアを指定して、宛先情報を限定する。この限定された宛先情報中から所望の宛先情報を検索して、所望の宛先名及び電話番号を迅速に選択できるようになっている。
【０００４】
【発明が解決しようとする課題】
しかし、上記従来例の前者の電子電話帳装置では、宛て先の電話番号が多数登録されている際に、宛て先の電話番号を限定して読み出した、その宛先情報が多数であり、この中から希望の宛先名及び電話番号を探すことになり、迅速に所望の宛て先の電話番号を選択できなかった。
また、公報の例では、市外局番と１対１で対応した地域の電話番号で宛て先の電話番号を限定している。この場合も宛て先の電話番号が多数登録されている際に、希望の宛て先の電話番号を迅速に選択できないという欠点がある。
【０００５】
本発明は、このような従来の技術における課題を解決するものであり、操作者が宛て先の電話番号を簡単な操作で所望の少数に絞り込みが可能になり、かつ、所望の宛て先の電話番号を限定する地域範囲を操作者が選択して、絞り込む宛て先の電話番号（情報）量を調整でき、所望の宛て先の電話番号の選択が迅速に可能になる電子電話帳装置の提供を目的とする。
【０００６】
【課題を解決するための手段】
上記目的を達成するために、請求項１記載の発明の電子電話帳装置は、宛先名及び電話番号の画面表示を行う表示装置と、宛先電話番号を検索操作するための入力操作装置と、アドレス番号毎に、宛先名と宛先電話番号とを対応させた宛先情報記憶テーブルと、前記アドレス番号を、該アドレス番号に対応する宛先名の表記分類毎に分類している表記情報テーブルと、地域名と市外局番を記憶した地域名別市外局番テーブルとを格納した記憶手段と、前記入力操作装置に入力された情報に基づき前記宛先番号を検索する制御装置とを備えた電子電話帳装置であって、前記制御装置は、前記入力操作装置で特定の表記分類が選択された場合に、前記表記情報テーブルおよび宛先情報記憶テーブルを参照して、前記表記分類に対応する宛先情報を表示する宛先情報表示処理と、前記宛先情報表示処理に対して宛先名が指定された場合に、該宛先名に対して発呼する発呼処理と、前記宛先情報表示処理に対して地域による絞り込み処理が指定された場合に、前記地域名別市外局番テーブルを参照して地域情報を表示する地域情報表示処理と、前記宛先情報表示処理の結果として表示された前記宛先情報のうち、前記地域情報表示処理に対して指定された特定の地域に該当する宛先情報を表示する宛先情報絞込み処理と、前記宛先情報絞込み処理に対して宛先名が指定された場合、該宛先名に対して発呼する発呼処理とを行うことを特徴とする。
【０００７】
請求項２記載の電子電話帳装置は、前記の電子電話帳装置をファクシミリ装置に適用している。
【０００８】
請求項３記載の電子電話帳装置は、前記表記分類を、少なくとも五十音分類又はアルファベット分類としている。
【０００９】
このような構成の請求項１，３記載の電子電話帳装置は入力操作装置によって、五十音分類又はアルファベット分類などの表記分類中の文字を選択した際の、表記情報における宛先情報を取り出している。そして、該当する行の市外局番リストを地域名別市外局番情報から取り出し、この市外局番リスト中の宛て先の電話番号を表示装置で画面表示している。
この結果、操作者によって宛て先の電話番号を簡単な操作で所望の少数に絞り込み出来るようになる。また、所望の宛て先の電話番号を限定する地域範囲を操作者が選択して、絞り込む宛て先の電話番号（情報）量を調整でき、所望の宛て先の電話番号の選択が迅速に可能になる。
【００１０】
請求項２記載の電子電話帳装置は、ファクシミリ装置あって、請求項１と同様に所望の宛て先の電話番号の選択が迅速に可能になる。
【００１１】
【発明の実施の形態】
次に、本発明の電子電話帳装置の実施形態を図面を参照して詳細に説明する。図１は本発明の電子電話帳装置の実施形態の構成を示すブロック図である。図１において、この装置は、ＬＣＤ又はＣＲＴのタッチパネルである操作表示装置１と、この操作表示装置１での表示及び入力操作を制御し、宛て先情報（宛先名及び電話番号）などのを記憶するワーキング用のＲＡＭや制御プログラムを格納したＲＯＭを備える制御装置（ＣＰＵ）２とを有している。
なお、操作表示装置１はタッチパネルの構成にかかわらず、表示器とキーボードの組み合わせでも良い。
【００１２】
制御装置２のＲＡＭに格納される宛先情報は、宛先名と電話番号が記録されている宛先情報記憶データ３と、この宛先情報記憶データ３が五十音分類のどこに分類されているかの情報を格納した五十音情報記憶データ４が格納されており、それぞれアドレス番号で管理されている。また、地域名別市外局番情報記憶データ５には、地域名と、その地域範囲の市外局番が全て記憶されている。
【００１３】
次に、この実施形態の動作について説明する。図２は、この実施形態の動作の処理手順を示すフローチャートである。図１及び図２において、五十音分類中の文字を選択すると、その選択キー情報が操作表示装置１から制御装置（ＣＰＵ）２に送られる（ステップＳ２０１）。制御装置２は、通知されたキー情報を判断し、五十音情報記憶データ４における該当する行から、記憶されているアドレス番号列を取り出す（ステップＳ２０２）。たとえば、「あ」が選択されると、その行に対応して五十音情報記憶データ４に記憶されているアドレス番号００１から００５までが取り出される。
【００１４】
制御装置２は、取り出したアドレス番号列に所属するアドレス番号の宛先情報を宛先情報記憶データ３から取り出す（ステップＳ２０３）。制御装置２は、取り出した宛て先（以下、リストＡと記載する）の宛先名を操作表示装置１に表示する（ステップＳ２０４）。ここで制御装置２は、リストＡの宛先が指定されるか、それとも宛先を絞り込むために地域が指定されるかを判断する。リストＡの宛先名が選択されていれば終了となり、選択された宛先に対して発呼動作に移る。一方、地域が選択されている場合は、次に進む（ステップＳ２０５）。
【００１５】
ステップＳ２０５で地域が選択されている場合、操作表示装置１で地域名を画面表示する（ステップＳ２０６）。ここで地域が選択されると、この選択したキー情報を操作表示装置１が制御装置２へ通知する。
【００１６】
通知されたキー情報を制御装置２が判断し、地域名別市外局番情報記憶データ５から、該当する行に記憶している市外局番のリスト（以下、リストＢと記載する）を取り出す（ステップＳ２０７）。制御装置２は、リストＡの電話番号の市外局番のうち、リストＢに含まれる宛先名及び電話番号を操作表示装置１で画面表示する（ステップＳ２０８）。制御装置２は、この画面表示に対して宛先名が選択されれば選択された宛先に対して発呼動作に移る。このように、単なる頭文字での絞込みに加えて、頭文字及び地域での絞込みが可能になる。
【００１７】
【発明の効果】
以上の説明から明らかなように、請求項１，３記載の電子電話帳装置によれば、五十音分類又はアルファベット分類などの文字を選択した際の宛先情報を取り出している。さらに、該当する行の市外局番リストを地域名別市外局番情報から取り出し、この市外局番リスト中の宛て先の電話番号を表示装置で画面表示している。  これによって、操作者が宛て先の電話番号を簡単な操作で所望の少数に絞り込みが可能になる。さらに、所望の宛て先の電話番号を限定する地域範囲を操作者が選択して、絞り込む宛て先の電話番号（情報）量を調整できるようになり、この結果、所望の宛て先の電話番号の選択が迅速に可能になる。
【００１８】
請求項２記載の電子電話帳装置によれば、ファクシミリ装置あって、前記同様に所望の宛て先の電話番号の選択が迅速に可能になる。
【図面の簡単な説明】
【図１】本発明の電子電話帳装置の実施形態の構成を示すブロック図である。
【図２】実施形態の動作の処理手順を示すフローチャートである。
【符号の説明】
１  操作表示装置
２  制御装置
３  宛先情報記憶データ
４  五十音情報記憶データ
５  地域名別市外局番情報記憶データ
【図１】
0003645961.tif 000002
【図２】
0003645961.tif 000003